(57)【特許請求の範囲】
【請求項１】
２つのディスプレイを有する携帯端末であって、
画像を表示する第１ディスプレイと、
複数のキーを表示する、タッチパッド付きの第２ディスプレイと、
両ディスプレイによる消費電力量を低下させるために、前記タッチパッドが最後に入力を検出してから、前記第１ディスプレイの輝度をゼロである既定輝度に低下させるまでの時間よりも、前記タッチパッドが最後に入力を検出してから、前記第２ディスプレイの輝度を前記既定輝度に低下させるまでの時間のほうが、ユーザが認識可能な一定程度長くなるように、各ディスプレイの輝度を低下させる制御を行う輝度制御部と、
前記タッチパッドが最後に入力を検出してから、前記第２ディスプレイの輝度がゼロに低下した後一定時間を経過する時までに、前記タッチパッドが入力を検出した場合には、当該入力に応じた処理を実行し、当該一定時間を経過した時より後に、前記タッチパッドが入力を検出した場合には、当該入力に応じた処理を実行しない処理実行部とを備え、
前記輝度制御部は、
前記第１ディスプレイ及び前記第２ディスプレイの輝度がゼロである場合において、前記タッチパッドが入力を検出したときに、各ディスプレイの輝度を上昇させるよう制御する
ことを特徴とする携帯端末。
【請求項２】
２つのディスプレイを有する携帯端末であって、
画像を表示する第１ディスプレイと、
複数のキーを表示する、タッチパッド付きの第２ディスプレイと、
両ディスプレイによる消費電力量を低下させるために、前記タッチパッドが最後に入力を検出してから、前記第１ディスプレイの輝度を既定輝度に低下させるまでの時間よりも、前記タッチパッドが最後に入力を検出してから、前記第２ディスプレイの輝度を前記既定輝度に低下させるまでの時間のほうが、ユーザが認識可能な一定程度長くなるように、各ディスプレイの輝度を低下させる制御を行う輝度制御部とを備え、
前記輝度制御部は、
前記タッチパッドが最後に入力を検出してから、前記第１ディスプレイの輝度を前記既定輝度に低下させるまでの時間よりも短い既定時間を経過した際に、前記第１ディスプレイの輝度を前記既定輝度よりも高い第１輝度に低下させるよう制御し、
前記タッチパッドが最後に入力を検出してから、前記既定時間を経過した際に、前記第２ディスプレイの輝度を、前記既定輝度よりも高い第２輝度に低下させるよう制御し、
前記第２ディスプレイの輝度を前記第２輝度に低下させた後、かつ前記既定輝度に低下させる前に、前記タッチパッドが入力を検出した場合に、前記第１ディスプレイの輝度を上昇させ、前記第２ディスプレイの輝度を維持するよう制御する
ことを特徴とする携帯端末。
【請求項３】
２つのディスプレイを有する携帯端末であって、
画像を表示する第１ディスプレイと、
複数のキーを表示する、タッチパッド付きの第２ディスプレイと、
両ディスプレイによる消費電力量を低下させるために、前記タッチパッドが最後に入力を検出してから、前記第１ディスプレイの輝度を既定輝度に低下させるまでの時間よりも、前記タッチパッドが最後に入力を検出してから、前記第２ディスプレイの輝度を前記既定輝度に低下させるまでの時間のほうが、ユーザが認識可能な一定程度長くなるように、各ディスプレイの輝度を低下させる制御を行う輝度制御部とを備え、
前記既定輝度はゼロより高く、
前記輝度制御部は、
前記第２ディスプレイの輝度を前記既定輝度に低下させた後に、前記タッチパッドが入力を検出した場合に、前記第１ディスプレイの輝度を上昇させ、前記第２ディスプレイの輝度を維持するよう制御する
ことを特徴とする携帯端末。
【請求項４】
２つのディスプレイを有する携帯端末であって、
画像を表示する第１ディスプレイと、
複数のキーを表示する、タッチパッド付きの第２ディスプレイと、
両ディスプレイによる消費電力量を低下させるために、前記タッチパッドが最後に入力を検出してから、前記第１ディスプレイの輝度を既定輝度に低下させるまでの時間よりも、前記タッチパッドが最後に入力を検出してから、前記第２ディスプレイの輝度を前記既定輝度に低下させるまでの時間のほうが、ユーザが認識可能な一定程度長くなるように、各ディスプレイの輝度を低下させる制御を行う輝度制御部とを備え、
前記携帯端末は、電話機能又はメール機能を有するものであり、
前記輝度制御部は、
前記第２ディスプレイの輝度を前記既定輝度に低下させた後に、電話又はメールの着信があった場合に、前記第１ディスプレイの輝度を上昇させ、前記第２ディスプレイの輝度を維持又は前記第１ディスプレイの上昇後の輝度よりも低い輝度に上昇させるように制御する
ことを特徴とする携帯端末。
【請求項５】
各ディスプレイそれぞれは、ＬＣＤ（Liquid Crystal Display）及び入力された電流量に応じた明るさで発光するバックライトを含み、
前記輝度制御部は、
前記制御を、各バックライトに入力されるべき電流量を低減することにより行う
ことを特徴とする請求項１から請求項４のいずれかに記載の携帯端末。
【請求項６】
第１ディスプレイとタッチパッド付きの第２ディスプレイとを有する携帯端末における輝度制御方法であって、
前記第１ディスプレイに画像を表示する第１表示ステップと、
前記第２ディスプレイに複数のキーを表示する第２表示ステップと、
両ディスプレイによる消費電力量を低下させるために、前記タッチパッドが最後に入力を検出してから、前記第１ディスプレイの輝度をゼロである既定輝度に低下させるまでの時間よりも、前記タッチパッドが最後に入力を検出してから、前記第２ディスプレイの輝度を前記既定輝度に低下させるまでの時間のほうが、ユーザが認識可能な一定程度長くなるように、各ディスプレイの輝度を低下させる制御を行う輝度制御ステップと、
前記タッチパッドが最後に入力を検出してから、前記第２ディスプレイの輝度がゼロに低下した後一定時間を経過する時までに、前記タッチパッドが入力を検出した場合には、当該入力に応じた処理を実行し、当該一定時間を経過した時より後に、前記タッチパッドが入力を検出した場合には、当該入力に応じた処理を実行しない処理実行ステップとを含み、
前記輝度制御ステップにおいて、前記第１ディスプレイ及び前記第２ディスプレイの輝度がゼロである場合において、前記タッチパッドが入力を検出したときに、各ディスプレイの輝度を上昇させるよう制御する
ことを特徴とする輝度制御方法。
【請求項７】
第１ディスプレイとタッチパッド付きの第２ディスプレイとを有する携帯端末におけるプロセッサに、輝度制御処理を行わせるためのプログラムであって、
前記輝度制御処理は、
前記第１ディスプレイに画像を表示する第１表示ステップと、
前記第２ディスプレイに複数のキーを表示する第２表示ステップと、
両ディスプレイによる消費電力量を低下させるために、前記タッチパッドが最後に入力を検出してから、前記第１ディスプレイの輝度をゼロである既定輝度に低下させるまでの時間よりも、前記タッチパッドが最後に入力を検出してから、前記第２ディスプレイの輝度を前記既定輝度に低下させるまでの時間のほうが、ユーザが認識可能な一定程度長くなるように、各ディスプレイの輝度を低下させる制御を行う輝度制御ステップと、
前記タッチパッドが最後に入力を検出してから、前記第２ディスプレイの輝度がゼロに低下した後一定時間を経過する時までに、前記タッチパッドが入力を検出した場合には、当該入力に応じた処理を実行し、当該一定時間を経過した時より後に、前記タッチパッドが入力を検出した場合には、当該入力に応じた処理を実行しない処理実行ステップとを含み、
前記輝度制御ステップにおいて、前記第１ディスプレイ及び前記第２ディスプレイの輝度がゼロである場合において、前記タッチパッドが入力を検出したときに、各ディスプレイの輝度を上昇させるよう制御する
ことを特徴とするプログラム。
【発明の詳細な説明】
【技術分野】
【０００１】
本発明は、複数のディスプレイを備える携帯電話機等の携帯端末に関し、特に、各ディスプレイの輝度制御技術に関する。
【背景技術】
【０００２】
携帯電話機等の携帯端末において、バッテリでの駆動時間を延ばすために、ディスプレイによる消費電力量を低減させる技術（例えば、特許文献１）が知られている。
特許文献１の技術は、バックライトが消灯中にキー入力があると、バックライトを点灯させてディスプレイの輝度を上昇させ、バックライトが点灯中にキー入力が一定時間ないと、バックライトを消灯させてディスプレイの輝度をゼロに制御するというものである。
【０００３】
ところで、タッチパッド付きのディスプレイを含む複数のディスプレイを備え、タッチパッド付きのディスプレイに表示されている複数のキーへの入力を受け付ける携帯端末が知られている。
このような複数のディスプレイを備える携帯端末にも、特許文献１の輝度制御技術を適用し、タッチパッド付きのディスプレイに表示されているキーへの入力が一定時間ない場合には、両ディスプレイの輝度をゼロに制御し、省電力化を図ることが考えられる。
【先行技術文献】
【特許文献】
【０００４】
【特許文献１】特開平１−２３７８１０号公報
【発明の概要】
【発明が解決しようとする課題】
【０００５】
しかしながら、複数のキーが表示されているディスプレイの輝度をゼロに制御してしまうと、各キーが視認できなくなってしまうため、ユーザは、キー操作を行うために、まず、このディスプレイの輝度を上昇させるための操作（例えば、このディスプレイに指を接触させる操作）を行う必要が生じ、キーの操作性を低下させてしまうという新たな問題が生じる。
【０００６】
そこで、本発明は係る問題に鑑みてなされたものであり、複数のキーが表示された、タッチパッド付きのディスプレイを含む複数のディスプレイを備える携帯端末において、省電力を図りつつも、各キーの操作性の低下を抑制できるようにした携帯端末を提供することを目的とする。
【課題を解決するための手段】
【０００７】
上記課題を解決するために、本発明に係る携帯端末は、２つのディスプレイを有する携帯端末であって、画像を表示する第１ディスプレイと、複数のキーを表示する、タッチパッド付きの第２ディスプレイと、両ディスプレイによる消費電力量を低下させるために、前記タッチパッドが最後に入力を検出してから、前記第１ディスプレイの輝度をゼロである既定輝度に低下させるまでの時間よりも、前記タッチパッドが最後に入力を検出してから、前記第２ディスプレイの輝度を前記既定輝度に低下させるまでの時間のほうが、ユーザが認識可能な一定程度長くなるように、各ディスプレイの輝度を低下させる制御を行う輝度制御部と、前記タッチパッドが最後に入力を検出してから、前記第２ディスプレイの輝度がゼロに低下した後一定時間を経過する時までに、前記タッチパッドが入力を検出した場合には、当該入力に応じた処理を実行し、当該一定時間を経過した時より後に、前記タッチパッドが入力を検出した場合には、当該入力に応じた処理を実行しない処理実行部とを備え、前記輝度制御部は、前記第１ディスプレイ及び前記第２ディスプレイの輝度がゼロである場合において、前記タッチパッドが入力を検出したときに、各ディスプレイの輝度を上昇させるよう制御することを特徴とする。
【発明の効果】
【０００８】
上記構成を備える本発明に係る携帯端末によれば、省電力を図りつつも、各キーの操作性の低下を抑制することができる。
【図面の簡単な説明】
【０００９】
【図１】実施の形態に係る携帯電話機１００の閉状態及び開状態の外観を示す図
【図２】携帯電話機１００が開状態かつ横向きである場合における各ディスプレイの表示例及び最後のユーザ操作から第１時間経過後の各ディスプレイの輝度制御例を示す図
【図３】携帯電話機１００が開状態かつ横向きである場合において、最後のユーザ操作から更に第２時間及び第３時間経過後の各ディスプレイの輝度制御例を示す図
【図４】携帯電話機１００が開状態かつ縦向きである場合における各ディスプレイの表示例及び最後のユーザ操作から第１時間＋第２時間経過後の各ディスプレイの輝度制御例を示す図
【図５】携帯電話機１００の主要部の機能構成を示すブロック図
【図６】携帯電話機１００の制御処理を示すフローチャート（図７に続く）
【図７】携帯電話機１００の制御処理を示すフローチャート（図６へ戻る）
【図８】携帯電話機１００の着信時輝度制御処理を示すフローチャート
【図９】光センサ１３０が検出した周囲の明るさに応じて、視認可能なディスプレイの輝度を決定する方法を説明するための図
【図１０】第１変形電話機が開状態かつ縦向きである場合における各ディスプレイの表示例を示す図
【図１１】第１変形電話機が開状態かつ縦向きである場合において、最後のユーザ操作から第１時間経過後及び更に第２時間経過後の各ディスプレイの輝度制御例を示す図
【図１２】最後のユーザ操作から第１時間＋第２時間経過後において、第１変形電話機がキー操作を受け付けた際の各ディスプレイの表示例及び輝度制御例と、第２変形電話機の各ディスプレイの表示例及び輝度制御例とを示す図
【図１３】第３変形電話機が開状態かつ横向きである場合において、最後のユーザ操作から第５時間及び第６時間経過時の各ディスプレイの輝度制御例を示す図
【図１４】第３変形電話機が開状態かつ横向きである場合において、最後のユーザ操作から第１時間＋第２時間経過後の各ディスプレイの輝度制御例を示す図
【発明を実施するための形態】
【００１０】
以下、本発明に係る携帯端末の一実施形態としての携帯電話機について説明する。
≪実施の形態≫
＜１．概要＞
実施の形態に係る携帯電話機は、タッチパッド付きの２つのディスプレイを備え、ユーザ操作がない場合に、各ディスプレイの輝度をゼロにするよう制御することで、省電力化を図る従来の携帯電話機を改良したものである。
【００１１】
この携帯電話機は、いずれかのタッチパッドが最後に入力を検出してから、ソフトウェアキーボード（以下、「ＳＷキーボード」と表記する）が表示されている一方のディスプレイの輝度をゼロにするまでの時間を、他方のディスプレイの輝度をゼロにするまでの時間よりも長くするよう制御する。
従って、他方のディスプレイの輝度がゼロになった時点では、もう一方のディスプレイの輝度はゼロでなくＳＷキーボードが表示されているので、ユーザは、このディスプレイの輝度を明るくするための操作を行うことなく、すぐに所望のキーボード操作を行うことができる。
【００１２】
つまり、この携帯電話機によれば、他方のディスプレイの輝度をゼロにするまでの時間を比較的短く設定することで省電力を図りつつも、ＳＷキーボードの操作性の低下を抑制することができる。
＜２．装置構成＞
まず、実施の形態に係る携帯電話機１００の装置構成について説明する。
【００１３】
図１（ａ）は、携帯電話機１００の閉状態の外観を示す斜視図であり、図１（ｂ）は、携帯電話機１００の開状態の外観を示す斜視図であり、図１（ｃ）は、携帯電話機１００の開状態の外観を示す正面図である。
携帯電話機１００は、図１（ａ）〜（ｃ）に示されるように、第１筐体１と第２筐体２とが相対的に移動可能ないわゆるスライド式の端末であり、第１筐体１、第２筐体２及び第１筐体１と第２筐体２とを接続するアーム３を備えている。
【００１４】
第１筐体１には、レシーバ４、マイク５、タッチパッド付きの第１ディスプレイ１１０及び光センサ１３０が備えられており、第２筐体２には、タッチパッド付きの第２ディスプレイ１２０が備えられている。
アーム３は、その基端側が第２筐体２に回転自在に軸支されており、先端側が第１筐体１をスライド移動並びに回転自在に支持している。
【００１５】
従って、この携帯電話機１００は、第１筐体１と第２筐体２とが単なる相対回動するだけでなく、閉状態と開状態とに変更することが可能である。
携帯電話機１００は、図１（ａ）に示すように、第２筐体２に第１筐体１が重ね合わさり、第２ディスプレイ１２０が視認できない閉状態から、アーム３により、第１筐体１が第２筐体２の主表面に沿って移動し、図１（ｂ）、（ｃ）に示すように、第１筐体１の主表面と第２筐体２の主表面とが略同一平面上に揃い、第１ディスプレイ１１０及び第２ディスプレイ１２０が視認可能な開状態になる。なお、ここでは、各筐体においてディスプレイが存在する側の表面を主表面と表現している。
【００１６】
＜３．輝度制御例＞
次に、図２〜図４を用いて、携帯電話機１００における輝度制御例を説明する。
なお、以下では、各筐体１、２が、図２（ａ）に示すように、横長になる向きを「横向き」といい、図４（ａ）に示すように、縦長になる向きを「縦向き」という。
＜３−１．「横向き」の場合＞
図２（ａ）は、携帯電話機１００が「開状態」で、筺体の向きが「横向き」である場合における各ディスプレイの表示例を示す図である。
【００１７】
同図では、第１ディスプレイ１１０に表示された、ウェブサイト上の情報の検索に用いるキーワード入力用のボックス１１ａがユーザにより選択された結果、文字入力待ちを示すカーソル１２が表示されると共に、キーワードを入力するために、第２ディスプレイ１２０にＳＷキーボード１０ａが表示された様子を示している。なお、「選択する」とは、上述のボックス１１ａのようなオブジェクトの表示位置へユーザが指等を接触させることをいう。
【００１８】
例えば、ユーザがどのようなキーワードを入力するかを考えるために、上記ボックス１１ａを選択してから第１時間（例えば、「５秒」とする）経過時まで操作を行わなかった場合、つまり、いずれのディスプレイのタッチパッドへも指等を接触させなかった場合、携帯電話機１００は、各ディスプレイの輝度を低下させる（図２（ｂ）参照）。
図２（ｂ）では、第１ディスプレイ１１０の輝度を第１輝度に、第２ディスプレイ１２０の輝度を第２輝度に低下させた様子を示しており、ここでは、第１輝度及び第２輝度が同輝度である例を示している。なお、この状態では、各ディスプレイの輝度は低下したものの、ゼロではないため、各ディスプレイに表示されている画像は視認可能である。
【００１９】
また、例えば、ユーザが依然としてどのようなキーワードを入力するかを考えており、上記第１時間を経過してから更に第２時間（例えば、「５秒」とする）経過時まで操作を行わなかった場合、携帯電話機１００は第１ディスプレイ１１０の輝度をゼロにする（図３（ａ）参照）。この結果、第１ディスプレイ１１０に表示されている画像は視認できなくなる。
【００２０】
即ち、最後のユーザ操作から第１時間＋第２時間（この例では、「１０秒」）経過後に、携帯電話機１００は、第１ディスプレイ１１０の輝度をゼロにして省電力を図りつつも、第２ディスプレイ１２０には、引き続きＳＷキーボード１０ａが表示されているので、余計な操作を行うことなく、ユーザはすぐにキーワードの入力を行うことができる。
また、上記第２時間を経過してから更に第３時間（例えば、「２０秒」とする）経過時まで操作を行わなかった場合、携帯電話機１００は、更なる省電力を図るために、第２ディスプレイ１２０の輝度もゼロにする（図３（ｂ）参照）。この結果、第２ディスプレイ１２０に表示されているＳＷキーボード１０ａも視認できなくなる。
【００２１】
なお、図３（ａ）に示す状態で、第２ディスプレイ１２０に表示されているＳＷキーボード１０ａにおいて、ユーザが所望のキーを選択した場合、携帯電話機１００は、各ディスプレイの輝度を上昇させ、各表示部の視認性を向上させる。
＜３−２．「縦向き」の場合＞
図４（ａ）は、携帯電話機１００が「開状態」で、筺体の向きが「縦向き」である場合における各ディスプレイの表示例を示す図である。
【００２２】
同図では、各ディスプレイ（１１０、１２０）に跨って表示された、ウェブサイト上の情報の検索に用いるキーワード入力用のボックス１１ｂがユーザにより選択された結果、文字入力待ちを示すカーソル１２が表示されると共に、各ディスプレイに跨って、ＳＷキーボード１０ｂが表示された様子を示している。
例えば、ユーザがどのようなキーワードを入力するかを考えるために、上記ボックス１１ｂを選択してから第１時間（例えば、「５秒」とする）経過時まで操作を行わなかった場合、つまり、いずれのディスプレイのタッチパッドへも指等を接触させなかった場合、図２（ｂ）に示す場合と同様に、携帯電話機１００は、各ディスプレイの輝度を所定輝度（例えば、第１輝度又は第２輝度）に低下させる（不図示）。
【００２３】
また、例えば、ユーザが依然としてどのようなキーワードを入力するかを考えており、上記第１時間を経過してから更に第２時間（例えば、「５秒」とする）経過時まで操作を行わなかった場合、携帯電話機１００は各ディスプレイ（１１０、１２０）の輝度をゼロにする（図４（ｂ）参照）。
このように、携帯電話機１００が「開状態」かつ「縦向き」の場合には、ＳＷキーボード１０ｂが各ディスプレイに跨って表示されるため、各ディスプレイを、ＳＷキーボードが表示されているディスプレイと、ＳＷキーボードが表示されていないディスプレイとに区別することができない。従って、このような場合には、携帯電話機１００が「開状態」かつ「横向き」の場合のように、ＳＷキーボードが表示されている一方のディスプレイの輝度をゼロにするまでの時間を他方のディスプレイよりも長くするような制御は行わない。
【００２４】
＜４．機能構成＞
図５は、携帯電話機１００の主要部の機能構成を示すブロック図である。
携帯電話機１００は、同図に示すように、レシーバ４、マイク５、第１ディスプレイ１１０、コントローラ１１４、第２ディスプレイ１２０、コントローラ１２４、光センサ１３０、開閉検出センサ１３１、加速度センサ１３２、通信部１４０、音声処理部１４１、記憶部１５０、計時部１６０及び制御部１７０を備える。
【００２５】
なお、携帯電話機１００は、プロセッサ及びメモリを含んで構成されており、制御部１７０の機能は、メモリに記憶されているプログラムをプロセッサが実行することにより実現される。
ここで、第１ディスプレイ１１０は、ＬＣＤ（Liquid Crystal Display）１１１、バックライト１１２及びタッチパッド１１３を含み、第２ディスプレイ１２０は、ＬＣＤ１２１、バックライト１２２及びタッチパッド１２３を含む。
【００２６】
各バックライト（１１２、１２２）は、エッジライト方式のＬＥＤバックライトであり、入力された電流量に応じた明るさで発光するものである。
各タッチパッド（１１３、１２３）は、静電容量方式のタッチセンサであり、タッチパッド１１３は、ＬＣＤ１１１に重畳して設けられ、タッチパッド１２３は、ＬＣＤ１２１に重畳して設けられている。なお、各タッチパッドは、透明部材を用いて構成されており、各ＬＣＤに表示された画像が見えるように構成されている。
【００２７】
各コントローラ（１１４、１２４）は、対応するディスプレイのタッチパッドに対するユーザの指等の接触を検出し、検出している間、一定時間（例えば、２５ｍｓ）毎に、そのタッチパッドにおける接触位置の座標値（ｘ，ｙ）を制御部１７０に出力するＩＣ（Integrated Circuit）である。なお、第１ディスプレイ１１０とコントローラ１１４とが対応し、第２ディスプレイ１２０とコントローラ１２４とが対応する。
【００２８】
また、光センサ１３０は、周囲の明るさを検出し、検出した明るさに対応する電圧レベルの信号を制御部１７０へ出力する回路であり、例えば、フォトダイオードにより実現される。
また、開閉検出センサ１３１は、携帯電話機１００の開閉状態を検出する機能を有する。開閉検出センサ１３１は、例えば、開状態において接触する第１筐体１の１つの側面と第２筐体２の１つの側面とのうちの一方の側面に埋め込まれた磁石と、その磁力を検出する他方の側面に埋め込まれたホールセンサとにより実現される。このホールセンサは、磁力の検出時に所定信号を制御部１７０に出力する。
【００２９】
加速度センサ１３２は、携帯電話機１００に生じる重力加速度を検出し、検出結果を示す信号を制御部１７０に出力する機能を有し、例えば、３軸加速度センサにより実現される。
通信部１４０は、アンテナを介して基地局との間で電波の送受信を行う回路であり、受信信号を復調し、制御部１７０へ伝達する機能と、制御部１７０から受領した送信信号を変調し送信する機能を有する。
【００３０】
音声処理部１４１は、制御部１７０を介して通信部１４０から受領した受話信号をＤ／Ａ変換し、得られた音声信号をレシーバ４から出力する機能と、マイク５から入力された音声信号をＡ／Ｄ変換し、得られた送話信号を、制御部を介して通信部１４０に送出する機能を有する。
記憶部１５０は、携帯電話機１００の各種アプリケーション（メニュー表示アプリケーション、メールアプリケーション、ブラウザアプリケーション、通話アプリケーション等）用のプログラム及びそれらのアプリケーションが必要とするデータの他、輝度情報、状態情報及びキー表示情報を記憶するためのメモリ領域である。
【００３１】
ここで、輝度情報とは、各ディスプレイの現在の輝度を示す情報であり、状態情報とは、携帯電話機１００の現在の使用状態（開閉状態及び筐体の向き）を示す情報であり、キー表示情報とは、いずれかのディスプレイにおいて、現在キーボードが表示中か否かを示す情報である。
計時部１６０は、制御部１７０から指定された時間（第１時間、第２時間、第３時間及び第４計時）を計時する機能を有し、例えば、第１時間〜第４時間それぞれが設定された４つのタイマやカウンタにより実現される。計時部１６０は指定された時間の計時を完了すると、その旨を制御部１７０に通知する。
【００３２】
なお、この例では、上述のように、第１時間及び第２時間は、例えば「５秒」であり、第３時間は、例えば「２０秒」である。また、第４時間は、例えば、「１秒」であるものとし、後述するように、ＳＷキーボード１０ａが表示されていた第２ディスプレイ１２０の輝度がゼロになったときに、計時が開始される。
また、制御部１７０は、各機能部を制御する機能を有する他、特に、各センサ（１３０〜１３２）の検出結果及びユーザ操作の有無に応じて、各ディスプレイの輝度を制御する機能を有する。なお、制御部１７０は、通信部１４０からの受信信号のうち、受話信号を音声処理部１４１に伝達し、音声処理部１４１からの送話信号を、通信部１４０に伝達する機能も有する。
【００３３】
制御部１７０は、状態判定部１７１、輝度制御部１７２、表示制御部１７３及び処理実行部１７４を含んで構成される。
ここで、状態判定部１７１は、開閉検出センサ１３１及び加速度センサ１３２から出力された各信号に基づいて携帯電話機１００の使用状態（開閉状態及び筐体の向き）を判定する機能を有する。
【００３４】
なお、状態判定部１７１は、加速度センサ１３２から出力された信号に基づいて、縦向きと横向きとのうち、より近い向きに、携帯電話機１００の筐体の向きに特定する。また、状態判定部１７１は、判定結果が変化した場合に、変化後の使用状態を示すように、記憶部１５０の状態情報を更新する。
輝度制御部１７２は、携帯電話機１００の使用状態と、最後のユーザ操作からの経過時間に基づいて、各バックライトへ入力する電流量を制御することで、各ディスプレイの輝度を制御する機能を有する。
【００３５】
輝度制御部１７２は、特に、携帯電話機１００の使用状態が、「開状態」かつ「横向き」である場合において、ユーザ操作がないときに、ＳＷキーボードが表示されている一方のディスプレイよりも、ＳＷキーボードが表示されていない他方のディスプレイの輝度を、より早くゼロに制御する。なお、輝度制御部１７２は、各ディスプレイの輝度を制御した際に、記憶部１５０の輝度情報を更新する。
【００３６】
表示制御部１７３は、処理実行部１７４の処理結果に応じた画面を、各ＬＣＤ（１１１、１２１）に表示させる機能を有する。
処理実行部１７４は、輝度がゼロでないディスプレイのタッチパッドに対して行われたユーザ操作に応じた処理を実行する機能を有する。つまり、処理実行部１７４は、そのディスプレイに対応するコントローラから出力された座標値が示す位置に表示されている表示物（アイコンやキー等）に割り当てられた処理を実行する機能を有する。
【００３７】
なお、処理実行部１７４は、携帯電話機１００の使用状態が「開状態」かつ「横向き」である場合に、ＳＷキーボードが表示されていたディスプレイの輝度がゼロになってから第４時間を経過するまでに、そのディスプレイに対しユーザ操作が行われたときには、例外的に、そのユーザ操作に応じた処理を実行する。
これにより、ＳＷキーボードの所望のキーをユーザが選択する直前に、そのＳＷキーボードを表示していたディスプレイの輝度がゼロに制御されたような場合にも、キー入力が受け付けられることになり、利便性を向上させることができる。
【００３８】
以下では、処理実行部１７４によるユーザ操作に応じた処理の一例を説明する。
（１）アプリケーションの起動処理
各種アプリケーションを起動するための複数のアイコンが配置されたメニュー画像が各ディスプレイに表示されている場合に、ユーザがあるアイコンを選択すると、処理実行部１７４は、そのアイコンに対応するアプリケーションを起動する。つまり、処理実行部１７４は、記憶部１５０からそのアイコンに対応するアプリケーションプログラムを読み出して実行する。
【００３９】
（２）ＳＷキーボードの表示の開始及び終了処理
起動したアプリケーションの画面が各ディスプレイに表示されている場合に、ユーザが、文字入力用のエリア（例えば、図２（ａ）のボックス１１ａや図４（ａ）のボックス１１ｂ）を選択すると、処理実行部１７４は、ＳＷキーボードの表示を開始させる。
即ち、携帯電話機１００が「開状態」で「横向き」であれば、各ディスプレイのうち、下側に配置されるディスプレイ（図２（ａ）では第２ディスプレイ１２０）にＳＷキーボード１０ａの表示を開始させる。また、携帯電話機１００が「開状態」で「縦向き」であれば、図４（ａ）に示すように、各ディスプレイに跨って、ＳＷキーボード１０ｂの表示を開始させる。なお、特に図示して説明しないが、携帯電話機１００が「閉状態」である場合には、第１ディスプレイ１１０の一部分にＳＷキーボードの表示を開始させる。
【００４０】
また、ユーザが、文字入力を完了した場合（例えば、図２（ａ）のボックス１１ａや図４（ａ）のボックス１１ｂへのキーワード入力後にＥｎｔｅｒキーを選択した場合）や、文字入力用のエリアの表示を終了させる操作を行った場合に、処理実行部１７４は、ＳＷキーボードの表示を終了させる。
なお、処理実行部１７４は、ＳＷキーボードの表示の開始及び終了の際に、記憶部１５０のキー表示情報を更新する。
【００４１】
（３）文字入力処理
例えば、図２（ａ）に示すように、第２ディスプレイ１２０にＳＷキーボード１０ａが表示されている場合において、ユーザが所望のキーの表示位置に指等を接触させると、処理実行部１７４は、そのキーに対応する文字等の入力を受け付け、第１ディスプレイ１１０のボックス１１ａにその文字を表示させる。
【００４２】
＜５．動作＞
次に、上記構成を備える携帯電話機１００の動作について、図６〜図８を用いて説明する。
図６及び図７は、携帯電話機１００の制御処理を示すフローチャートである。
同図に示す制御処理は、携帯電話機１００の電源がＯＮになると開始され、特に図示していないが、電源がＯＦＦになると終了される。
【００４３】
なお、この制御処理とは独立した処理として、開閉検出センサ１３１及び加速度センサ１３２から出力された各信号に基づいて、携帯電話機１００の現在の使用状態を示すように、記憶部１５０の状態情報を更新する処理が、状態判定部１７１により行われる。
まず、制御部１７０の輝度制御部１７２は、記憶部１５０の状態情報に基づいて、第１ディスプレイ１１０及び第２ディスプレイ１２０のうち、現在視認可能なディスプレイを特定し、特定したディスプレイの輝度を、光センサ１３０が検出した周囲の明るさに応じた輝度に制御する（図６のステップＳ１）。なお、この際、輝度制御部１７２は、制御後の輝度を示すように、記憶部１５０の輝度情報を更新する。
【００４４】
ここで、記憶部１５０の状態情報が示す携帯電話機１００の開閉状態が「閉状態」である場合には、視認可能なディスプレイは、第１ディスプレイ１１０のみと特定できる（図１（ａ）参照）。また、記憶部１５０の状態情報が示す携帯電話機１００の開閉状態が「開状態」である場合には、視認可能なディスプレイは、第１ディスプレイ１１０及び第２ディスプレイ１２０と特定できる（図１（ｃ）参照）。
【００４５】
また、この例では、図９に示すように、各ディスプレイは、Ｌ１〜Ｌ５の５段階の輝度レベルで表示可能であるものとする。
輝度制御部１７２は、同図に示すように、光センサ１３０からの信号が示す明るさの範囲を５段階に分けるための閾値Ｔｈ１〜Ｔｈ４を用いて、視認可能なディスプレイの輝度レベルを決定する。
【００４６】
即ち、同図に示すように、視認可能なディスプレイの輝度レベルを、光センサ１３０からの信号が示す明るさがＴｈ１未満である場合には「Ｌ１」に、Ｔｈ１以上Ｔｈ２未満である場合には「Ｌ２」に、Ｔｈ２以上Ｔｈ３未満である場合には「Ｌ３」に、Ｔｈ３以上Ｔｈ４未満である場合には「Ｌ４」に、Ｔｈ４以上である場合には「Ｌ５」に決定する。
輝度制御部１７２は、決定した輝度レベルと予め対応付けられているその輝度レベルに制御するための電流量を、視認可能なディスプレイのバックライトに入力することで、そのディスプレイの輝度レベルが上記決定した輝度レベルになるように、そのディスプレイのバックライトを点灯させる。
【００４７】
続いて、輝度制御部１７２は、計時部１６０に第１時間（この例では「５秒」）の計時開始を指示し、この指示を受けて計時部１６０は、第１時間の計時を開始する（ステップＳ２）。
また、輝度制御部１７２は、計時部１６０から第１時間の計時を完了した旨の通知を受領したか否かに基づいて、第１時間を経過したか否かを判定する（ステップＳ３）。
【００４８】
計時部１６０からの通知を受領していない場合に、輝度制御部１７２は、第１時間を経過していないと判定し（ステップＳ３：ＮＯ）、制御部１７０は、いずれかのディスプレイのタッチパッドに対する入力がなされたか否かを判定する（ステップＳ４）。
いずれのコントローラ（１１４及び１２４）からも座標値を受領していない場合に、制御部１７０は、いずれのディスプレイのタッチパッドに対しても入力がなされていないと判定し（ステップＳ４：ＮＯ）、再びステップＳ３から処理を行う。
【００４９】
また、いずれかのコントローラ（１１４又は１２４）から座標値を受領した場合に、制御部１７０は、入力がなされたと判定し（ステップＳ４：ＹＥＳ）、処理実行部１７４は、その座標値が示す表示位置に対応する処理を実行し（ステップＳ５）、再びステップＳ２から処理を行う。
なお、ステップＳ５の処理を実行した際、表示制御部１７３により、処理実行部１７４の処理結果に応じた画面の表示が行われることになる。また、ステップＳ５の処理の結果、ＳＷキーボードが表示された場合には、処理実行部１７４は、記憶部１５０のキー表示情報が、現在キーボードが表示中であることを示すように更新する。
【００５０】
また、ステップＳ３において、計時部１６０からの通知を受領した場合に、輝度制御部１７２は、第１時間を経過したと判定し（ステップＳ３：ＹＥＳ）、現在視認可能なディスプレイの輝度を、低下させるように制御する（ステップＳ６）。なお、この現在視認可能なディスプレイは、上記ステップＳ１と同様の方法で特定する。また、この際、輝度制御部１７２は、制御後の輝度を示すように、記憶部１５０の輝度情報を更新する。
【００５１】
輝度制御部１７２は、ステップＳ６の制御を以下のように行う。
即ち、輝度制御部１７２は、第１ディスプレイ１１０のみが現在視認可能なディスプレイである場合には、第１ディスプレイ１１０を第１輝度に低下させ、第１ディスプレイ１１０及び第２ディスプレイ１２０が現在視認可能なディスプレイである場合には、第１ディスプレイ１１０を第１輝度に、第２ディスプレイ１２０を第２輝度に低下させる。なお、この例では、第１輝度及び第２輝度は同輝度であるとしており、輝度制御部１７２は、例えば、図９に示す輝度レベルＬ１に制御するための電流量を、視認可能なディスプレイのバックライトに入力することで、このディスプレイの輝度の低下を実現させる。
【００５２】
続いて、輝度制御部１７２は、計時部１６０に第２時間（この例では「５秒」）の計時開始を指示し、この指示を受けて計時部１６０は、第２時間の計時を開始する（ステップＳ７）。
輝度制御部１７２は、ステップＳ３の処理と同様に、計時部１６０から第２時間の計時を完了した旨の通知を受領したか否かに基づいて、第２時間を経過したか否かを判定する（ステップＳ８）。
【００５３】
輝度制御部１７２が第２時間を経過していないと判定した場合に（ステップＳ８：ＮＯ）、制御部１７０は、ステップＳ４の処理と同様に、いずれかのディスプレイのタッチパッドに対する入力がなされたか否かを判定する（ステップＳ９）。
いずれのディスプレイのタッチパッドに対しても入力がなされていないと判定した場合に（ステップＳ９：ＮＯ）、制御部１７０は、電話又はメールの着信があるか否かを判定し（ステップＳ１０）、着信がない場合には（ステップＳ１０：ＮＯ）、再びステップＳ８から処理を行う。
【００５４】
また、着信があった場合には（ステップＳ１０：ＹＥＳ）、制御部１７０は、着信時輝度制御処理を行い（ステップＳ１１）、再びステップＳ７から処理を行う。なお、ステップＳ１１の着信時輝度制御処理の内容については後述する。
また、ステップＳ９において、制御部１７０が、入力がなされたと判定した場合に（ステップＳ９：ＹＥＳ）、処理実行部１７４は、ステップＳ５の処理と同様に、その座標値が示す表示位置に対応する処理を実行し（ステップＳ１２）、再びステップＳ１から処理を行う。
【００５５】
なお、ステップＳ１２の処理を実行した際、表示制御部１７３により、処理実行部１７４の処理結果に応じた画面の表示が行われることになる。また、ステップＳ５の処理の結果、ＳＷキーボードが表示された場合には、処理実行部１７４は、記憶部１５０のキー表示情報が、現在キーボードが表示中であることを示すように更新する。
また、ステップＳ８において、第２時間を経過したと判定した場合に（ステップＳ８：ＹＥＳ）、輝度制御部１７２は、記憶部１５０の状態情報及びキー表示情報に基づいて、携帯電話機１００の現在の使用状態が「開状態」かつ「横向き」で、ＳＷキーボードが表示中であるか否かを判定する（図７のステップＳ１３）。
【００５６】
携帯電話機１００の現在の使用状態が「開状態」かつ「横向き」で、ＳＷキーボードが表示中でない場合に（ステップＳ１３：ＮＯ）、輝度制御部１７２は、現在視認可能なディスプレイの輝度をゼロに制御する（ステップＳ１４）。なお、この現在視認可能なディスプレイは、上記ステップＳ１と同様の方法で特定する。また、この際、輝度制御部１７２は、制御後の輝度を示すように、記憶部１５０の輝度情報を更新する。
【００５７】
輝度制御部１７２は、ステップＳ１４の制御を以下のように行う。
即ち、輝度制御部１７２は、第１ディスプレイ１１０のみが現在視認可能なディスプレイである場合には、第１ディスプレイ１１０の輝度をゼロにするために、第１ディスプレイ１１０のバックライトへの電流の入力を停止する。また、第１ディスプレイ１１０及び第２ディスプレイ１２０が現在視認可能なディスプレイである場合には、各ディスプレイの輝度をゼロにするために、第１ディスプレイ１１０及び第２ディスプレイ１２０のバックライトへの電流の入力を停止する。
【００５８】
続いて、制御部１７０は、ステップＳ４の処理と同様に、いずれかのディスプレイのタッチパッドに対する入力がなされたか否かを判定する（ステップＳ１５）。
いずれのディスプレイのタッチパッドに対しても入力がなされていないと判定した場合に（ステップＳ１５：ＮＯ）、制御部１７０は、再びステップＳ１５の処理を行い、入力がなされたと判定した場合に（ステップＳ１５：ＹＥＳ）、再びステップＳ１から処理を行う。
【００５９】
また、ステップＳ１３において、携帯電話機１００の現在の使用状態が「開状態」かつ「横向き」で、ＳＷキーボードが表示中である場合に（ステップＳ１３：ＹＥＳ）、輝度制御部１７２は、ＳＷキーボードが表示されていない他方のディスプレイの輝度をゼロに制御する（ステップＳ１６）。なお、この際、輝度制御部１７２は、制御後の輝度を示すように、記憶部１５０の輝度情報を更新する。
【００６０】
続いて、輝度制御部１７２は、計時部１６０に第３時間（この例では「２０秒」）の計時開始を指示し、この指示を受けて計時部１６０は、第３時間の計時を開始する（ステップＳ１７）。
輝度制御部１７２は、ステップＳ３の処理と同様に、計時部１６０から第３時間の計時を完了した旨の通知を受領したか否かに基づいて、第３時間を経過したか否かを判定する（ステップＳ１８）。
【００６１】
輝度制御部１７２が第３時間を経過していないと判定した場合に（ステップＳ１８：ＮＯ）、制御部１７０は、ステップＳ４の処理と同様に、いずれかのディスプレイのタッチパッドに対する入力がなされたか否かを判定する（ステップＳ１９）。
入力がなされたと判定した場合に（ステップＳ１９：ＹＥＳ）、制御部１７０は、図６のステップＳ１２から処理を行う。
【００６２】
また、いずれのディスプレイのタッチパッドに対しても入力がなされていないと判定した場合に（ステップＳ１９：ＮＯ）、制御部１７０は、ステップＳ１０の処理と同様に、電話又はメールの着信があるか否かを判定する（ステップＳ２０）。
制御部１７０は、着信はないと判定した場合に（ステップＳ２０：ＮＯ）、再びステップＳ１８から処理を行い、着信があると判定した場合（ステップＳ２０：ＹＥＳ）、ステップＳ１１と同様に、着信時輝度制御処理を行い（ステップＳ２１）、再びステップＳ１７から処理を行う。
【００６３】
また、ステップＳ１８において、第３時間を経過したと判定した場合に（ステップＳ１８：ＹＥＳ）、輝度制御部１７２は、ＳＷキーボードが表示されている一方のディスプレイの輝度をゼロに制御する（ステップＳ２２）。なお、この際、輝度制御部１７２は、制御後の輝度を示すように、記憶部１５０の輝度情報を更新する。
続いて、輝度制御部１７２は、計時部１６０に第４時間（この例では「１秒」）の計時開始を指示し、この指示を受けて計時部１６０は、第４時間の計時を開始する（ステップＳ２３）。
【００６４】
輝度制御部１７２は、ステップＳ３の処理と同様に、計時部１６０から第４時間の計時を完了した旨の通知を受領したか否かに基づいて、第４時間を経過したか否かを判定する（ステップＳ２４）。
輝度制御部１７２が第４時間を経過したと判定した場合に（ステップＳ２４：ＹＥＳ）、制御部１７０は、ステップＳ１５から処理を行う。
【００６５】
また、輝度制御部１７２が第４時間を経過していないと判定した場合に（ステップＳ２４：ＮＯ）、制御部１７０は、ステップＳ４の処理と同様に、いずれかのディスプレイのタッチパッドに対する入力がなされたか否かを判定する（ステップＳ２５）。
入力がなされたと判定した場合に（ステップＳ２５：ＹＥＳ）、制御部１７０は、その入力が、ＳＷキーボードが表示されていない他方のディスプレイのタッチパッドに対して行われたものかを判定する（ステップＳ２６）。
【００６６】
制御部１７０は、他方のディスプレイに対する入力であった場合には（ステップＳ２６：ＹＥＳ）、ステップＳ１５から処理を行い、ＳＷキーボードが表示されているディスプレイに対する入力であった場合には（ステップＳ２６：ＮＯ）、図６のステップＳ１２から処理を行う。
また、いずれのディスプレイのタッチパッドに対しても入力がなされていないと判定した場合に（ステップＳ２５：ＮＯ）、制御部１７０は、ステップＳ１０の処理と同様に、電話又はメールの着信があるか否かを判定する（ステップＳ２７）。
【００６７】
制御部１７０は、着信はないと判定した場合に（ステップＳ２７：ＮＯ）、再びステップＳ２４から処理を行い、着信があると判定した場合（ステップＳ２７：ＹＥＳ）、ステップＳ１１と同様に、着信時輝度制御処理を行い（ステップＳ２８）、再びステップＳ２３から処理を行う。
続いて、上述したステップＳ１１、Ｓ２１、Ｓ２８の着信時輝度制御処理の詳細について説明する。
【００６８】
図８は、携帯電話機１００の着信時輝度制御処理を示すフローチャートである。
まず、輝度制御部１７２は、記憶部１５０の輝度情報をコピーする（図８のステップＳ３０）。このコピーは、後述するように通信終了時、つまり、電話の着信にユーザが応答することなく相手がオンフックした場合や、電話の着信にユーザが応答し開始された通話が終了した場合や、メールの受信が完了した場合に、各ディスプレイの輝度を着信前の状態に戻すために使用される。
【００６９】
続いて、輝度制御部１７２は、図７のステップＳ１３の処理と同様に、携帯電話機１００の現在の使用状態が「開状態」かつ「横向き」で、ＳＷキーボードが表示中であるか否かを判定する（ステップＳ３１）。
携帯電話機１００の現在の使用状態が「開状態」かつ「横向き」で、ＳＷキーボードが表示中でない場合に（ステップＳ３１：ＮＯ）、輝度制御部１７２は、ステップＳ１と同様に、現在視認可能なディスプレイの輝度を、光センサ１３０が検出した周囲の明るさに応じた輝度に制御する（ステップＳ３２）。なお、この際、輝度制御部１７２は、制御後の輝度を示すように、記憶部１５０の輝度情報を更新する。
【００７０】
一方、携帯電話機１００の現在の使用状態が「開状態」かつ「横向き」で、ＳＷキーボードが表示中である場合に（ステップＳ３１：ＹＥＳ）、輝度制御部１７２は、ＳＷキーボードが表示されていない他方のディスプレイの輝度を、光センサ１３０が検出した周囲の明るさに応じた輝度に制御する（ステップＳ３３）。なお、この際、輝度制御部１７２は、制御後の輝度を示すように、記憶部１５０の輝度情報を更新する。
【００７１】
ステップＳ３３の処理を完了すると、輝度制御部１７２は、記憶部１５０の輝度情報に基づいて、ＳＷキーボードが表示されている一方のディスプレイの輝度がゼロか否かを判定する（ステップＳ３４）。
ＳＷキーボードが表示されている一方のディスプレイの輝度がゼロである場合に（ステップＳ３４：ＹＥＳ）、輝度制御部１７２は、このディスプレイの輝度を、第２輝度に制御する（ステップＳ３５）。なお、この際、輝度制御部１７２は、制御後の輝度を示すように、記憶部１５０の輝度情報を更新する。
【００７２】
ステップＳ３５若しくはステップＳ３２の処理を完了し、又はＳＷキーボードが表示されている一方のディスプレイの輝度がゼロでない場合（ステップＳ３４：ＮＯ）に、制御部１７０は、通信が終了したか否かを繰り返し判定する（ステップＳ３６）。
通信が終了した場合に（ステップＳ３６：ＹＥＳ）、輝度制御部１７２は、ステップＳ３２、Ｓ３３、Ｓ３５で輝度を変更したディスプレイの輝度を、ステップＳ３０でコピーした輝度情報が示す元の輝度に制御する（ステップＳ３７）。なお、この際、輝度制御部１７２は、制御後の輝度を示すように、記憶部１５０の輝度情報を更新すると共に、ステップＳ３０でコピーした輝度情報を破棄する。
【００７３】
ステップＳ３７の処理を完了すると、制御部１７０は、着信時輝度制御処理を終了する。
≪補足≫
以上、本発明に係る携帯端末を、実施の形態に基づいて説明したが、以下のように変形することも可能であり、本発明は上述した実施の形態で示した通りの携帯電話機に限られないことは勿論である。
【００７４】
（１）実施の形態に係る携帯電話機１００は、各ディスプレイ（１１０、１２０）が共にタッチパッドを備えるものとして説明したが、一方のディスプレイのみがタッチパッドを備えるようにしてもよい。但し、この場合、実施の形態で説明したように、携帯電話機１００の筺体の向き等に応じたディスプレイにＳＷキーボードを表示するのではなく、携帯電話機１００の筺体の向き等によらず、タッチパッドを備える一方のディスプレイにＳＷキーボードを表示するよう変形する必要がある。
【００７５】
また、実施の形態では、ディスプレイに表示される複数のキーの一例として、図２（ａ）や図４（ａ）に示すＳＷキーボードを用いて説明したが、同図に示すような、いわゆるＱＷＥＲＴＹキーボードに限らず、例えば、いわゆるテンキーのような他の複数のキーであってもよい。
（２）実施の形態では、図６のステップＳ１０及びＳ１１、図７のステップＳ２０、Ｓ２１、Ｓ２７及びＳ２８に示すように、着信があった場合に、着信時輝度制御処理を行うものとして説明したが、この処理を行わないようにしてもよい。
【００７６】
具体的には、図６のステップＳ１０及びＳ１１、図７のステップＳ２０、Ｓ２１、Ｓ２７及びＳ２８の処理を行わないようにし、以下のように、図６のステップＳ９、図７のＳ１９及びＳ２５の処理を変形してもよい。
即ち、ステップＳ９で否定的な判定が行われた場合には（ステップＳ９：ＮＯ）、ステップＳ８から、ステップＳ１９で否定的な判定が行われた場合には（ステップＳ１９：ＮＯ）、ステップＳ１８から、ステップＳ２５で否定的な判定が行われた場合には（ステップＳ２５：ＮＯ）、ステップＳ２４から、それぞれ再び処理を行うよう変形してもよい。
【００７７】
また、実施の形態では、電話又はメールの着信があるか否かを判定して（ステップＳ１０、Ｓ２０、Ｓ２７）、着信時輝度制御処理を行うものとして説明したが、電話の着信があった場合のみ、又はメールの着信があった場合にのみ、着信時輝度制御処理を行うようにしてもよい。
（３）実施の形態では、一例として、第１時間及び第２時間は「５秒」であり、第３時間は「２０秒」であり、第４時間は「１秒」であるものとして説明したが、これらの時間は適宜変更可能であり、例えば、ユーザがこれらの時間を設定できるようにしてもよい。
【００７８】
また、実施の形態では、携帯電話機１００が「開状態」である場合において、最後のユーザ操作から第１時間を経過したときに、視認可能なディスプレイの輝度を低下させるものとして説明した（図６のステップＳ３：ＹＥＳ、Ｓ６参照）。
しかしながら、最後のユーザ操作から第１時間を経過したときに、視認可能なディスプレイの輝度を低下させることは必須ではなく、この輝度の低下を行わないようにしてもよい。また、最後のユーザ操作から第１時間を経過したときに、視認可能なディスプレイのうち、ＳＷキーボードが表示されていない他方のディスプレイの輝度のみを低下させるようにしてもよい。
【００７９】
また、実施の形態では、第１輝度及び第２輝度は同輝度であるものとして説明したが、第１輝度と第２輝度とは異なってもよい。
この場合、上記図６のステップＳ６を以下のように変形する必要がある。
即ち、携帯電話機１００の現在の使用状態が「開状態」かつ「横向き」で、ＳＷキーボードが表示中である場合には、実施の形態で説明したのと同様に、第１ディスプレイ１１０の輝度を第１輝度に低下させ、第２ディスプレイ１２０の輝度を第２輝度に低下させる。一方、携帯電話機１００の現在の使用状態が「開状態」かつ「横向き」で、ＳＷキーボードが表示中でない場合には、視認可能なディスプレイの輝度を所定値（例えば、第１輝度又は第２輝度）に低下させるように変形する必要がある。
【００８０】
また、実施の形態では、最後のユーザ操作から第１時間を経過後、第２時間を経過するまでにユーザ操作があった場合に、視認可能なディスプレイの輝度を上昇させるものとして説明した（図６のステップＳ９：ＹＥＳ、ステップＳ１）。しかしながら、携帯電話機１００が「開状態」かつ「横向き」である場合に、視認可能なディスプレイのうち、ＳＷキーボードが表示されていない他方のディスプレイの輝度のみを上昇させるようにしてもよい。
【００８１】
また、実施の形態では、ＳＷキーボードが表示されていた一方のディスプレイの輝度をゼロに制御してから第４時間を経過するまでに、そのディスプレイに対する操作が行われた場合に、その操作に対応する処理を実行するものとして説明した（図７のステップＳ２４：ＮＯ、Ｓ２５：ＹＥＳ、Ｓ２６：ＮＯ、図６のステップＳ１２）。
しかしながら、ＳＷキーボードが表示されている一方のディスプレイの輝度をゼロに制御した後に、そのディスプレイに対する操作が行われても、その操作に対応する処理は特に行わず、そのディスプレイの輝度を上昇させる制御のみを行うようにしてもよい。具体的には、図７のステップＳ２２の処理を完了した場合に、ステップＳ２３〜Ｓ２８の処理を行わずに、ステップＳ１５から処理を行うようにしてもよい。
【００８２】
（４）実施の形態では、輝度制御部１７２がディスプレイの輝度をゼロに制御している間の表示制御部１７３の制御内容については特に言及しなかったが、その間、輝度がゼロであるディスプレイのＬＣＤへの表示の更新を停止させるように制御してもよい。同様に、その間、そのディスプレイに対応するコントローラが、ディスプレイのタッチパッドへの入力を検出する周期を長くするようにしてもよい。このように変形することで、更なる省電力を図ることができる。
【００８３】
また、実施の形態では、輝度制御部１７２が、各ディスプレイのバックライトを制御することで、各ディスプレイの輝度を制御するものとして説明したが、表示させる画像の輝度を制御することで、各ディスプレイの輝度を制御してもよい。
（５）実施の形態では、輝度制御部１７２が、光センサ１３０が検出した周囲の明るさに応じて、ディスプレイの輝度を決定するものとして説明した（図６のステップＳ１、図８のステップＳ３２及びＳ３３参照）。しかしながら、光センサ１３０が検出した周囲の明るさに応じてディスプレイを決定する方法以外の方法で輝度を決定するようにしてもよい。例えば、予め定められた輝度に決定してもよい。
【００８４】
また、実施の形態では、ＳＷキーボードが表示されていた一方のディスプレイの輝度をゼロに制御した後に、ユーザ操作が行われた場合には、このディスプレイの輝度を、光センサ１３０が検出した周囲の明るさに応じた輝度に上昇させるものとして説明した（図７のステップＳ２２、Ｓ２５：ＹＥＳ、図６のステップＳ１）。しかしながら、光センサ１３０が検出した周囲の明るさに応じた輝度に上昇させる場合に限らず、ＳＷキーボードの表示が視認できるように、このディスプレイの輝度を現在の輝度（ゼロ）より高いいずれかの輝度に上昇させてもよい。
【００８５】
また、実施の形態では、図９に示すように、各ディスプレイが、Ｌ１〜Ｌ５の５段階の輝度レベルで表示可能である例を用いて説明したが、この段階数は、１段階（つまり、点灯時の輝度が固定レベル）以上であれば、５段階より多くても少なくてもよく、ユーザが、段階数の選択肢の中から選択できるようにしてもよい。
また、実施の形態では、既定輝度の一例として、ゼロを用いて説明したが、既定輝度はゼロに限らない。但し、省電力の観点からは、ゼロに近いほうが望ましい。
【００８６】
（６）実施の形態では、各ディスプレイの輝度を、各バックライトへの入力電流量により制御するものとして説明したが、各バックライト（ＬＥＤ）の点灯と消灯とを高速に繰り返すことで、輝度を制御するようにしてもよい（いわゆるＰＷＭ（Pulse Width Modulation）制御）。
また、実施の形態では、各バックライトは、エッジライト方式のＬＥＤバックライトであるものとして説明したが、エッジライト方式によらず、直下型方式のものであってもよいし、ＬＥＤバックライトによらず、その他の光源（例えば、冷陰極管、電球、熱陰極管等）を用いたものであってもよい。
【００８７】
（７）実施の形態では、図８に示す着信時輝度制御処理においては、ステップＳ３２、Ｓ３３、Ｓ３５でディスプレイの輝度を変更した際に、記憶部１５０の輝度情報を更新するものとして説明した。しかしながら、ステップＳ３２、Ｓ３３、Ｓ３５でディスプレイの輝度を変更した際に、記憶部１５０の輝度情報を更新しないようにしてもよい。その場合、ステップＳ３０の処理は行わないようにし、ステップＳ３７の処理を、記憶部１５０の輝度情報に基づいて、ステップＳ３２、Ｓ３３、Ｓ３５でディスプレイの輝度を変更する前のディスプレイの輝度に戻すように変更する必要がある。
【００８８】
（８）実施の形態では、携帯電話機１００が「開状態」で、筺体の向きが「縦向き」である場合に、各ディスプレイに跨って、ＳＷキーボードを表示させるものとして説明したが、片方のディスプレイのみにＳＷキーボードを表示させるようにしてもよい。
図１０（ａ）は、この変形に係る携帯電話機（以下、「第１変形電話機」という）が「開状態」で、筺体の向きが「縦向き」である場合における各ディスプレイの表示例を示す図である。
【００８９】
同図では、各ディスプレイ（１１０、１２０）に跨ってテキストボックス１１ｃが表示された様子を示している。
この状態から、ユーザがテキストボックス１１ｃを選択すると、第１変形電話機は、テキストボックス１１ｃに代えて、テキスト編集ボックス１１ｄを各ディスプレイ（１１０、１２０）に跨って表示させると共に、ＳＷキーボード１０ｃを第１ディスプレイ１１０に表示させる。
【００９０】
このＳＷキーボード１０ｃを用いてユーザが文字の入力及び変換の操作を行うと、第１変形電話機は、該当の文字をテキスト編集ボックス１１ｄに表示させる（図１０（ｂ）参照）。
例えば、ユーザがどのような文章を入力するかを考えるために、上記文字の入力及び変換の最後の操作から第１時間経過時まで操作を行わなかった場合、第１変形電話機は、各ディスプレイの輝度を低下させる（図１１（ａ）参照）。
【００９１】
また、例えば、ユーザが依然としてどのような文章を入力するかを考えており、上記第１時間を経過してから更に第２時間経過時まで操作を行わなかった場合、第１変形電話機は、キーボードが表示されていない第２ディスプレイ１２０の輝度をゼロにする（図１１（ｂ）参照）。
この結果、第２ディスプレイ１２０に表示されている画像は視認できなくなるが、第１ディスプレイ１１０の輝度はゼロではないため、第１ディスプレイ１１０に表示されているＳＷキーボード１０ｃは引き続き視認できる。
【００９２】
この状態でユーザが、ＳＷキーボード１０ｃを操作すると、図１２（ａ）に示すように、第１変形電話機は、各ディスプレイの輝度を上昇させると共に、テキスト編集ボックス１１ｄに操作に応じた文字を表示させる。
このように、第１変形電話機は、「開状態」で、筺体の向きが「縦向き」である場合においても、ＳＷキーボードが表示されていない他方のディスプレイの輝度をゼロにした時点において、もう一方のディスプレイには、引き続きＳＷキーボードを表示させることができる。従って、この第１変形電話機によれば、ユーザは、ディスプレイの輝度を明るくするための操作を行うことなく、すぐに所望のキーボード操作を行うことができる。
【００９３】
（９）上記第１変形電話機では、ＳＷキーボード１０ｃが表示されていない第２ディスプレイ１２０の輝度をゼロにした際に、この第２ディスプレイ１２０に表示されていたテキスト編集ボックス１１ｄ中の文章が視認できなくなっていた（図１１（ｂ）参照）。
しかしながら、ＳＷキーボード１０ｃが表示されていない第２ディスプレイ１２０の輝度をゼロにした際に、テキスト編集ボックス１１ｄに表示されていた文章全体を、ＳＷキーボード１０ｃが表示されている第１ディスプレイ１１０に表示させるように変形してもよい。
【００９４】
図１２（ｂ）は、この変形に係る携帯電話機（以下、「第２変形電話機」という）が「開状態」で、筺体の向きが「縦向き」である場合において、最後のユーザ操作から第１時間＋第２時間を経過した際の各ディスプレイの様子を示す図である。
この第２変形電話機は、同図に示すように、最後のユーザ操作から第１時間＋第２時間を経過した際に、図１１（ａ）に示す状態から、ＳＷキーボード１０ｃが表示されていない第２ディスプレイ１２０の輝度をゼロにする。また、それと共に、第２変形電話機は、図１１（ａ）に示すテキスト編集ボックス１１ｄ中の文章を、第１ディスプレイ１１０のテキスト編集ボックス１１ｆに表示させる。なお、テキスト編集ボックス１１ｆは、テキスト編集ボックス１１ｄのうちの第１ディスプレイ１１０のみに表示されている部分に相当する。
【００９５】
従って、第２変形電話機によれば、ＳＷキーボード１０ｃが表示されていない第２ディスプレイ１２０の輝度をゼロにすることで、省電力化を図りつつも、入力した文章の視認性を維持できる。
（１０）実施の形態では、携帯電話機１００が「開状態」で、筺体の向きが「横向き」である場合において、最後のユーザ操作から第１時間が経過したときに、両ディスプレイの輝度を低下させるものとして説明した（図６のステップＳ３：ＹＥＳ、Ｓ６）。
【００９６】
しかしながら、各ディスプレイの輝度を低下させるタイミングは異なってもよいし、ＳＷキーボードが表示されている一方のディスプレイの輝度を、ＳＷキーボードが表示されていない他方のディスプレイよりも先に低下させるようにしてもよい。
この変形に係る携帯電話機（以下、「第３変形電話機」という）は、図１３（ａ）に示すように、最後のユーザ操作から、第５時間（例えば、「３秒」とする）を経過した際に、ＳＷキーボードが表示されている第２ディスプレイ１２０の輝度を第２輝度に低下させる。
【００９７】
また、この第３変形電話機は、図１３（ｂ）に示すように、最後のユーザ操作から第１時間（この例では「５秒」）を経過した際に、ＳＷキーボードが表示されていない第１ディスプレイ１１０の輝度を第１輝度に低下させる。
以降の各ディスプレイの輝度制御は、実施の形態に係る携帯電話機１００と同様である。即ち、この第３変形電話機は、最後のユーザ操作から第１時間＋第２時間（この例では「１０秒」）経過した際に、ＳＷキーボードが表示されていない第１ディスプレイ１１０の輝度をゼロにし（図１４参照）、更に第３時間（この例では「２０秒」）を経過した際に、ＳＷキーボードが表示されている第２ディスプレイ１２０の輝度をゼロにする。
【００９８】
従って、第３変形電話機によれば、実施の形態に係る携帯電話機１００よりも早くＳＷキーボードが表示されているディスプレイの輝度を低下させるので、更に省電力化を図ることができる。
なお、この第３変形電話機による制御を一定条件下でのみ行うように更に変形してもよい。この一定条件としては、第３変形電話機のユーザにより、この制御を行う旨の設定が予めなされている場合や、第３変形電話機のバッテリ電圧が一定値以下になった場合が、一例として考えられる。
【００９９】
（１１）実施の形態に係る携帯電話機１００は、図１（ｃ）に示すように開状態で、第１ディスプレイ１１０と第２ディスプレイ１２０とが略同一平面上に配置されるものとして説明したが、ユーザが、各ディスプレイの画面を見ることができる態様であれば、各ディスプレイが略同一平面上に配置されなくてもよい。
例えば、開状態で、第１筐体１の第１ディスプレイ１１０を含む主表面と、第２筐体２の第２ディスプレイ１２０を含む主表面とが略平行になるように配置されてもよいし、第１筐体１の第１ディスプレイ１１０を含む主表面と、第２筐体２の第２ディスプレイ１２０を含む主表面との間に、ユーザが各ディスプレイの画面を見ることができる程度の角度が生じるように配置されてもよい。
【０１００】
また、実施の形態では、各ＬＣＤ（１１１、１２１）の形状は、略矩形状であるとして説明したが、例えば、円形状、その他多角形状であってもよく、また、各ＬＣＤの画素数は同一であっても、異なってもよい。
各ディスプレイ（１１０及び１２０）は、各ＬＣＤ（１１１、１２１）を含むものとして説明したが、有機ＥＬ（Electro-Luminescence）等を含むようにしてもよい。
【０１０１】
また、実施の形態に係る携帯電話機１００は、２つのディスプレイを備えるものとして説明したが、３つ以上のディスプレイを備えるようにしてもよい。
即ち、３つ以上のディスプレイを備える携帯電話機においては、最後のユーザ操作から、ＳＷキーボードが表示されている少なくとも１つのディスプレイの輝度を、既定輝度に低下させるまでの時間が、最後のユーザ操作から、ＳＷキーボードが表示されてない他のディスプレイの輝度を、既定輝度に低下させるまでの時間よりも長くなるように各ディスプレイの輝度を制御すればよい。
【０１０２】
（１２）実施の形態に係る携帯電話機１００は、スライド式の携帯電話機であるものとして説明したが、折りたたみ式の携帯電話機やストレート型の携帯電話機等、他の外観を有する携帯電話機であってもよい。
（１３）実施の形態に係る各タッチパッドは、静電容量方式のタッチセンサにより実現されるものとして説明したが、この静電容量方式のタッチセンサとして、多数の電極パターンをプラスチックやガラス等の基板上に形成し、接触点の近傍の複数の電極パターンによる電流量の比率を計測することで判別する投影型や、導電膜と基板とを有して構成され、基板の隅に電極を設け、導電膜による均一な電界を形成し、指等の接触による隅の端子の電流量の比率を計測して接触位置を判別する表面型等、適宜なものを用いることができる。
【０１０３】
また、各タッチパッドの検出方式は、静電容量方式に限らず、電子ペン等の専用のペンを用いる電磁誘導方式や、２層構造の透明電極からなるマトリクススイッチ方式や、２枚の抵抗膜の１枚に電圧を印加し、他方の抵抗膜において操作した位置に応じた電圧を検知する抵抗膜方式や、振動波の跳ね返りを圧電素子の電圧変化によって検出し、指等の接触を検知する表面弾性波方式や、遮光された赤外線により指等が接触した位置を検出する赤外線方式や、画面に光センサを組み込んで接触位置を検知する光センサ方式等、適宜なものを用いてもよい。
【０１０４】
（１４）実施の形態において説明した各構成要素のうち、全部又は一部を１チップ又は複数チップの集積回路で実現してもよいし、コンピュータのプログラムで実現してもよいし、その他どのような形態で実現してもよい。
また、実施の形態において説明した各構成要素は、携帯電話機１００が有するプロセッサと協働することにより、その機能を実現する。
【０１０５】
（１５）実施の形態において説明した携帯電話機１００の制御処理（図６〜図８参照）をプロセッサに実行させるためのプログラムを、記録媒体に記録し又は各種通信路等を介して、流通させ頒布することもできる。このような記録媒体には、ＩＣカード、ハードディスク、光ディスク、フレキシブルディスク、ＲＯＭ、フラッシュメモリ等がある。流通、頒布されたプログラムは、機器におけるプロセッサで読み取り可能なメモリ等に格納されることにより利用に供され、そのプロセッサがそのプログラムを実行することにより実施の形態で示した携帯電話機１００の各機能が実現される。
【０１０６】
（１６）実施の形態に係る携帯電話機１００に、上記（１）〜（１５）の一部又は全部の変形を組み合わせて適用してもよい。
（１７）以下、更に本発明の一実施形態に係る携帯端末の構成及びその変形例と各効果について説明する。
（ａ）本発明の一実施形態に係る携帯端末は、２つのディスプレイを有する携帯端末であって、画像を表示する第１ディスプレイと、複数のキーを表示する、タッチパッド付きの第２ディスプレイと、両ディスプレイによる消費電力量を低下させるために、前記タッチパッドが最後に入力を検出してから、前記第１ディスプレイの輝度を既定輝度に低下させるまでの時間よりも、前記タッチパッドが最後に入力を検出してから、前記第２ディスプレイの輝度を前記既定輝度に低下させるまでの時間のほうが、ユーザが認識可能な一定程度長くなるように、各ディスプレイの輝度を低下させる制御を行う輝度制御部とを備える。
【０１０７】
この携帯端末によれば、キーパッドに対するユーザ操作がない場合に、第１ディスプレイの輝度を既定輝度に低下させて省電力を図りつつも、その時点では、より高い輝度で、第２ディスプレイの表示を行うため、第２ディスプレイに表示されている複数のキーの操作性の低下を抑制することができる。
（ｂ）また、前記既定輝度は、ゼロであることとしてもよい。
【０１０８】
この携帯端末によれば、キーパッドに対するユーザ操作がない場合に、第１ディスプレイの輝度をゼロに低下させて省電力を図りつつも、この時点では、第２ディスプレイの輝度はゼロでなく、ユーザは、第２ディスプレイに表示されている複数のキーを視認でき、すぐに入力を行うことができるので、キーの操作性の低下を抑制することができる。
（ｃ）また、前記携帯端末は、更に前記タッチパッドが最後に入力を検出してから、前記第２ディスプレイの輝度がゼロに低下した後一定時間を経過する時までに、前記タッチパッドが入力を検出した場合には、当該入力に応じた処理を実行し、当該一定時間を経過した時より後に、前記タッチパッドが入力を検出した場合には、当該入力に応じた処理を実行しない処理実行部を備え、前記輝度制御部は、更に前記第１ディスプレイ及び前記第２ディスプレイの輝度がゼロである場合において、前記タッチパッドが入力を検出したときに、各ディスプレイの輝度を上昇させるよう制御することとしてもよい。
【０１０９】
この携帯端末によれば、第２ディスプレイの輝度がゼロに変化した後一定時間内に行われたユーザ操作に応じた処理が実行されるので、ユーザ操作の直前に、第２ディスプレイの輝度がゼロに変化したような場合にも、そのユーザ操作に応じた処理を行うことができ、利便性を向上できる。
（ｄ）また、前記輝度制御部は、更に前記タッチパッドが最後に入力を検出してから、前記第１ディスプレイの輝度を前記既定輝度に低下させるまでの時間よりも短い既定時間を経過した際に、前記第１ディスプレイの輝度を前記既定輝度よりも高い第１輝度に低下させるよう制御することとしてもよい。
【０１１０】
この携帯端末は、最後のユーザ操作から既定時間を経過した際に、第１ディスプレイの輝度をある輝度Ｂから第１輝度へ低下させ、最後のユーザ操作から上記既定時間より長い時間Ｔを経過した際に、第１ディスプレイの輝度を第１輝度から既定輝度へと更に低下させる。
従って、この携帯端末によれば、最後のユーザ操作から上記既定時間より長い時間Ｔを経過した際に、第１ディスプレイの輝度をある輝度Ｂから一気に既定輝度に低下させる場合と比較し、省電力を図ることができる。
【０１１１】
（ｅ）また、前記輝度制御部は、更に前記タッチパッドが最後に入力を検出してから、前記既定時間を経過した際に、前記第２ディスプレイの輝度を、前記既定輝度よりも高い第２輝度に低下させるよう制御し、前記第２ディスプレイの輝度を前記第２輝度に低下させた後、かつ前記既定輝度に低下させる前に、前記タッチパッドが入力を検出した場合に、前記第１ディスプレイの輝度を上昇させ、前記第２ディスプレイの輝度を維持するよう制御することとしてもよい。
【０１１２】
この携帯端末によれば、第１ディスプレイの輝度を第１輝度に低下させる際に、第２ディスプレイの輝度についても第２輝度に低下させるので、省電力を図ることができる。
また、第２ディスプレイの輝度を第２輝度に低下させた後、かつ既定輝度に低下させる前に、ユーザ操作があった場合に、第１ディスプレイの輝度は上昇させて、第２ディスプレイの輝度は維持するため、第１ディスプレイに表示中の画像の視認性を高めると共に、第２ディスプレイにおけるキーの操作性の低下を抑制しつつも、省電力を図ることができる。
【０１１３】
（ｆ）また、前記既定輝度はゼロより高く、前記輝度制御部は、更に前記第２ディスプレイの輝度を前記既定輝度に低下させた後に、前記タッチパッドが入力を検出した場合に、前記第１ディスプレイの輝度を上昇させ、前記第２ディスプレイの輝度を維持するよう制御することとしてもよい。
この携帯端末によれば、第２ディスプレイの輝度をゼロより高い既定輝度に低下させた後に、ユーザ操作があった場合に、第１ディスプレイの輝度は上昇させて、第２ディスプレイの輝度は維持するため、第１ディスプレイに表示中の画像の視認性を高めると共に、第２ディスプレイにおけるキーの操作性の低下を抑制しつつも、省電力を図ることができる。
【０１１４】
（ｇ）また、各ディスプレイそれぞれは、ＬＣＤ（Liquid Crystal Display）及び入力された電流量に応じた明るさで発光するバックライトを含み、前記輝度制御部は、前記制御を、各バックライトに入力されるべき電流量を低減することにより行うこととしてもよい。
この携帯端末によれば、各ディスプレイが液晶ディスプレイを含んで構成される場合に、各ディスプレイの輝度を既定輝度に低下させる制御を、各バックライトへの入力電流量を低減させるという比較的簡単な方法で実現できる。
【０１１５】
（ｈ）また、前記携帯端末は、電話機能又はメール機能を有するものであり、前記輝度制御部は、更に前記第２ディスプレイの輝度を前記既定輝度に低下させた後に、電話又はメールの着信があった場合に、前記第１ディスプレイの輝度を上昇させ、前記第２ディスプレイの輝度を維持又は前記第１ディスプレイの上昇後の輝度よりも低い輝度に上昇させるように制御することとしてもよい。
【０１１６】
この携帯端末によれば、第２ディスプレイの輝度を前記既定輝度に低下させた後に、電話又はメールの着信があった場合に、第２ディスプレイの輝度を、少なくとも第１ディスプレイの上昇後の輝度よりも低い輝度に抑えるので、省電力を図ることができる。
（１８）本発明に係る携帯端末の第１ディスプレイ及び第２ディスプレイは、例えば、実施の形態に係る携帯電話機１００の第１ディスプレイ１１０及び第２ディスプレイ１２０に相当し、本発明に係る携帯端末の輝度制御部及び処理実行部は、例えば、実施の形態に係る携帯電話機１００の輝度制御部１７２及び処理実行部１７４に相当する。
【産業上の利用可能性】
【０１１７】
本発明に係る携帯端末は、タッチパッド付きのディスプレイを含む複数のディスプレイに画像を表示させて使用する場合に利用される。
【符号の説明】
【０１１８】
１、２    筐体
３    アーム
４    レシーバ
５    マイク
１００    携帯電話機
１１０    第１ディスプレイ
１１１、１２１    ＬＣＤ
１１２、１２２    バックライト
１１３、１２３    タッチパッド
１１４、１２４    コントローラ
１２０    第２ディスプレイ
１３０    光センサ
１３１    開閉検出センサ
１３２    加速度センサ
１４０    通信部
１４１    音声処理部
１５０    記憶部
１６０    計時部
１７０    制御部
１７１    状態判定部
１７２    輝度制御部
１７３    表示制御部
１７４    処理実行部
【図１】
0005727310.tif 000002
【図２】
0005727310.tif 000003
【図３】
0005727310.tif 000004
【図４】
0005727310.tif 000005
【図５】
0005727310.tif 000006
【図６】
0005727310.tif 000007
【図７】
0005727310.tif 000008
【図８】
0005727310.tif 000009
【図９】
0005727310.tif 000010
【図１０】
0005727310.tif 000011
【図１１】
0005727310.tif 000012
【図１２】
0005727310.tif 000013
【図１３】
0005727310.tif 000014
【図１４】
0005727310.tif 000015